(57)【特許請求の範囲】
【請求項１】
有底の筒状体によってプラグ主体が構成され、
前記プラグ主体の開口部近傍の外周部に、前記プラグ主体を排水管または排水マスに取り付けるための取付手段と、前記排水管または排水マスに固定するための固定手段が設けられ、
前記固定手段は、プラグ主体の底面近傍及び／又は開口縁近傍の外周部に形成される、固定部材挿通用の透孔もしくは係合突起であること
を特徴とする閉塞プラグ。
【請求項２】
前記取付手段は、
前記プラグ主体の開口部近傍の外周部に、所要の間隔を存して形成される一対の係合孔であること
を特徴とする請求項１に記載の閉塞プラグ。
【請求項３】
前記固定手段は、
前記プラグ主体の底面近傍の外周部に形成される、ボルト挿通用の透孔もしくは係合突起であること
を特徴とする請求項１に記載の閉塞プラグ。
【請求項４】
前記プラグ主体は、
その外周部下方に、ゴムリングを装着するための凹溝が形成されていること
を特徴とする請求項１〜３のいずれかに記載の閉塞プラグ。
【請求項５】
前記プラグ主体は、
公共マスに取り付け、固定するためのもので、
円筒体もしくは截頭円錐体であること
を特徴とする請求項１〜４のいずれかに記載の閉塞プラグ。
【発明の詳細な説明】
【技術分野】
【０００１】
この発明は、下水道本管に排水や土砂などが流れ込まないようにするための、排水管用の閉塞プラグに関するものである。
より詳しくは、家庭における使用しなくなった排水管から、公共マスを介して下水道本管に雨水や土砂など等が流れ込むことを防ぐために、排水管、特に排水マス（公共マスを含む）に配設される閉塞プラグに関するものである。
【背景技術】
【０００２】
一般に、戸建住宅、低層住宅又は小規模集合住宅などにおいて、風呂、流し台、洗面台などから排出される雑排水ないし汚水（以下、「排水等」という）は、塩化ビニル製の樹脂製配管などを介して屋外に設置された公共マスへと導入される。
【０００３】
一般に公共マスとは、宅内排水管と、公道に埋設された下水道本管に接続される取付管とを接続する排水マスをいう。
この公共マスの埋設箇所は、原則的には公道下であって、公共下水道管理者がその維持管理を行うようにしているが、自治体によっては、宅地内に埋設し、道路工事や地下埋設物に支障がないようにしている。
【０００４】
かかる状況において、建物の取り壊しなどによって敷地を更地にする場合、下水道本管に雨水や土砂、排水等が流れないように公共マスから上流側を閉鎖する必要が生じる。
【０００５】
かかる目的のため、例えば、特開２００１−３０３６５６号公報（特許文献１）においては、上向きに点検筒用接続口、横向きに合流する複数の流入口用接続口、他の横向きに１つの流出口用接続口をそれぞれ設けると共に、これらの流入口用接続口と流出口接続口とはインバート傾斜を有するが、逆流防止用落差を零としたプラスチック製排水マスに用いる閉塞プラグが提案されている。
【０００６】
前記特許文献１に記載の閉塞プラグは、前記プラスチック製排水マスの上流側流入口に挿入されるもので、当該閉塞プラグの先端部を、閉塞プラグが挿入された流入口用接続口以外の流入口用接続口へ排水中の汚物等が逆流しないような導水部材を着脱して構成し、当該排水マスのインバートのフラッシュアウト機能を良好にしたことを特徴とするものである。
【先行技術文献】
【特許文献】
【０００７】
【特許文献１】特開２００１−３０３６５６号公報（特許請求の範囲，図１〜３）
【発明の開示】
【発明が解決しようとする課題】
【０００８】
前記特許文献１に開示されている閉塞プラグは、横型複数流入口付で、かつ、１つの流出口付の合流型公共マスに適用されるもので、流入口用受口に挿入されるものである。
したがって、この閉塞プラグは、埋設されている公共マスの横側の流入口から挿入する必要があるため、その取付けが煩雑であった。
さらに、この閉塞プラグは、縦型の合流型公共マスに適したものではない。
【０００９】
この発明はかかる現状に鑑み、下水本管へ雨水や土砂、排水等が流れ込むことがないようにすることができる一方、取付けが容易で、横型の排水マスのみならず縦型の排水マスにも装着することができる閉塞プラグを提供せんとするものである。
【課題を解決するための手段】
【００１０】
前記目的を達成するため、この発明にかかる請求項１に記載の発明は、
有底の筒状体によってプラグ主体が構成され、
前記プラグ主体の開口部近傍の外周部に、前記プラグ主体を排水管または排水マスに取り付けるための取付手段と、前記排水管または排水マスに固定するための固定手段が設けられ、
前記固定手段は、プラグ主体の底面近傍及び／又は開口縁近傍の外周部に形成される、固定部材挿通用の透孔もしくは係合突起であること
を特徴とする閉塞プラグである。
【００１１】
この発明の請求項２に記載の発明は、
請求項１に記載の閉塞プラグにおいて、
前記取付手段は、
前記プラグ主体の開口部近傍の外周部に、所要の間隔を存して形成される一対の係合孔であること
を特徴とする閉塞プラグである。
【００１２】
この発明の請求項３に記載の発明は、
請求項１に記載の閉塞プラグにおいて、
前記固定手段は、
前記プラグ主体の底面近傍の外周部に形成される、ボルト挿通用の透孔もしくは係合突起であること
を特徴とするものである。
【００１３】
この発明の請求項４に記載の発明は、
請求項１〜３のいずれかに記載の閉塞プラグにおいて、
前記プラグ主体は、
その外周部下方に、ゴムリングを装着するための凹溝が形成されていること
を特徴とするものである。
【００１４】
この発明の請求項５に記載の発明は、
請求項１〜４のいずれかに記載の閉塞プラグにおいて、
前記プラグ主体は、
公共マスに取り付け、固定するためのもので、
円筒体もしくは截頭円錐体であること
を特徴とするものである。
【発明の効果】
【００１５】
この発明の閉塞プラグは、プラグ主体の開口部近傍の外周部に、取付手段が形成されているので、この取付手段を利用して閉塞プラグを、縦型もしくは横型のいずれの排水管や、排水マス（公共マスを含む）であっても、所定位置に容易に装着することができるとともに、前記固定手段によって装着部位に固定状態を保持することができる。
【００１６】
特に、この発明の閉塞プラグは、公共マスの上部の受口から挿入し、流出口側に装着するこという簡単な操作によって、下水本管へ雨水や土砂、排水等が流れ込むことを確実に阻止することができる。
【図面の簡単な説明】
【００１７】
【図１】この発明の閉塞プラグの実施の一例を示した斜視図である。
【図２】図１に示す閉塞プラグの断面図である。
【図３】この発明の閉塞プラグを縦型の公共マスに使用した例を示す断面図である。
【図４】この発明の閉塞プラグを横型の公共マスに使用した例を示す断面図である。
【図５】この発明の閉塞プラグを公共マスに着脱するための操作部材の斜視図である。
【図６】この発明の閉塞プラグの他の形態を示した断面図である。
【図７】この発明の閉塞プラグに使用されるゴムリングの一例を示す説明図である。
【図８】この発明の閉塞プラグの他の形態を示した斜視図である。
【図９】この発明の閉塞プラグに、公共マスに着脱するための他の操作部材を取付けた状態を示す斜視図である。
【図１０】この発明の閉塞プラグの他の形態を示した斜視図である。
【図１１】この発明の閉塞プラグの他の形態を示した斜視図である。
【発明を実施するための形態】
【００１８】
以下、この発明にかかる閉塞プラグの実施の形態を、添付の図面に基づいて具体的に説明する。
なお、この発明の閉塞プラグは、図示の実施例に限定されるものではなく、発明の要旨を変更しない範囲内で改良を加えることができるものである。
【００１９】
この発明にかかる閉塞プラグ１は、有底の円筒体もしくは有底の截頭円錐体など筒状のプラグ主体１ａを主体とするもので、ゴムや塩化ビニル樹脂などの樹脂を素材とするものである。
【００２０】
図１および図２に示す前記プラグ主体１ａは、有底の円筒体からなるものである。
前記プラグ主体１ａの開口部近傍の外周面には、公共マス６への取付手段として一対の係合孔２，２が所定の間隔を存して設けられているとともに、前記係合孔２，２間のほぼ中心に位置する底面側には、公共マス６に固定するための短いボルトからなる固定部材を挿通させるための挿通孔３ａが形成されている。
さらに、前記挿通孔３ａと所要の間隔を存して同一線上に挿通孔３ｂが形成され、この挿通孔３ｂと相対するプラグ主体１ａの外周部に挿通孔３ｃが形成され、長さが前記プラグ主体１ａの直径より長いボルトからなる固定部材を挿通できるよう構成されている。
なお、前記挿通孔３ｂ，３ｂの位置は適宜変更することができる。
【００２１】
前記係合孔２，２は、公共マス６への取付手段としての機能を有するもので、具体的には、前記閉塞プラグ１の公共マス６への取り付け、取り外しに際して用いられる後述の操作部材７のフック７ｃ，７ｃと係合する機能を有するものである。
前記係合孔２の位置や大きさ、形状などは、前記操作部材７のフックの大きさや形状に応じて適宜選択される。
【００２２】
前記プラグ主体１ａは、底面部近傍の外周部にはリング状の凹溝４が形成され、この凹溝４内にはゴムリング５が装着される。
なお、前記ゴムリング５を装着する凹溝４は、複数設けてもよい。
その際、前記ゴムリング５は、基本的には、全周に亘って径が同一のものが使用されるが、図７に示す、外周部の中央に突条の突出部５ａを有するものを使用してもよい。
かかるゴムリング５は、より管体の内周面に密着するので止水性及び挿抜性（公共マスの流出口へ挿入したり、抜いたりする能力）が向上する。
【００２３】
さらに、前記プラグ主体１ａは、前記したように三つの挿通孔３ａ，３ｂ，３ｃが形成されている。
これらの挿通孔３ａ，３ｂ，３ｃは、いずれも前記プラグ主体１ａを、公共マス６の内周面に係着させるための係止部材８を挿通させるためのものである。
【００２４】
前記公共マス６は、図３および図４で明らかなように、上部に受口６ａを、側面部に流入管９と連通する複数の流入口６ｂ，６ｂを有し、かつ底面には流出口６ｃを有するものである。
なお、前記公共マス６の流出口６ｃは、横型の場合には、図４に示すように前記流出口６ｃが底面に沿って横方向に、縦型の場合には、図３に示すように底面に垂設されるようにそれぞれ設けられている。
前記各流出口６ｃには、流出管１０が接続されている。
【００２５】
前記係止部材８は、前記プラグ主体１ａを公共マス６の流出口６ｃの基端部に係止させるためのものであって、基本的にはボルトとナットで構成され、各端部が前記挿通孔３ａから突出する長さを有し、公共マス６と係合させて端部を突出させたのち、公共マス６の内部からナットを係合させて公共マス６に固定して使用されるものである。
【００２６】
その際、図４に示すように、前記挿通孔３ａに短いボルトの軸部を挿通し、その端部をプラグ主体１ａから突出させるとともに、プラグ主体１ａ内にも軸部をある程度の長さで突出させた状態でナットによって固定することで係止部材８とし、当該プラグ主体１ａを前記操作部材７のフック７ｃ，７ｃを利用し、公共マス６に閉塞プラグ１を装着させてもよい。
なお、図８に示すように、挿通孔３ａに代えて、突起からなる係止部材８をあらかじめ設けて公共マス６と係合・固定するようにしてもよい。
【００２７】
かくして得たプラグ主体１ａは、前記操作部材７を使用して受口６ａから、例えば、図３に示すように縦型の公共マス６内に差込み、その開口部を受口６ａに向けた状態で流出口６ｃの基端部に底面側から挿入すれば、プラグ主体１ａは、外周部底部に装着したリング部材が流出口６ｃの内周面と密着するとともに、プラグ主体１ａの上部外周部に突出した係止部材８の端部を、公共マス６を構成する内周面と当接させ、公共マス６内に固定させるものである。
【００２８】
なお、この実施例においては、前記プラグ主体１ａの外周部に設けるゴムリング５は、底面部近傍にのみ配置しているが、複数のゴムリング５を設けてもよい。
【００２９】
図３に示す実施例では、係止部材８として、プラグ主体１ａの外径よりも長いボルトを使用したが、各挿通孔３ｂ，３ｃに短いボルトとナットからなる係止部材を使用することもできる。
この実施例ではボルトを使用しているが、所要の長さを有する軸部材も使用することができ、プラグ主体１ａと軸部材の固定は接着でもよいものである。
さらに、各挿通孔３ｂ，３ｃに係止部材８として、プラグ主体１ａの外径よりも長いボルトを挿通させたが、挿通孔に代えて、公共マス６と係合・固定しうる係止部材をあらかじめ設けてもよい。
【００３０】
さらにまた、前記操作部材７は、この実施例では軸杆７ａの先端部にチャネル状のフック主体７ｂを取付け、各フック主体７ｂの先端部を折り曲げてフック７ｃ，７ｃを形成したものであるが、先端部が前記プラグ主体１ａの上部外周部に形成した係合孔２，２と係合可能な構成を有するものであれば、その構造に特段の制限はない。
【００３１】
この実施例においては、前記操作部材７を用いて取付ける方法を示したが、受口６ａから公共マス６内に差込み、その開口部を公共マス６内に向けた状態で流出口６ｃの基端部に挿入する方法であれば、これ以外の方法であってもよい。
例えば、図９に示すように、前記プラグ主体１ａの上部外周部に突出部１１を形成し、この突出部１１に操作部材としてのパイプ１２の一端を係合させて公共マスに取付ける方法や、図示しないが、前記プラグ主体１ａの上部外周部に係合孔を有する突出部を形成するととともに、この係合孔に操作部材としてのチェーンを装着し、このチェーンを用いて公共マスに取付ける方法を選択することもできる。
【００３２】
なお、前記プラグ主体１ａについては、図１０に示すように、その開口縁近傍の外周面に、一対の係合孔２，２を所定の間隔を存して設けるとともに、前記係合孔２，２間に挿通孔３ａを形成し、この挿通孔３ａと相対するプラグ主体１ａの外周部に挿通孔３ｃを形成するようにしてもよい。
【００３３】
この場合、図４に示した横型の公共マスへの取付けに際しては、挿通孔３ａに短いボルトの軸部を挿通し、その端部をプラグ主体１ａから突出させるとともに、プラグ主体１ａ内にも、軸部をある程度の長さで突出させた状態でナットによって固定することで係止部材８とし、当該プラグ主体１ａを前記操作部材７のフック７ｃ，７ｃを利用し、公共マス６に装着させる。
さらに、図３に示した縦型の公共マスへの取付けに際しては、各挿通孔３ａ，３ｃに係止部材８として、プラグ主体１ａの外径よりも長いボルトを挿通させる。
【００３４】
さらにまた、前記プラグ主体１ａについては、図１１に示すように形成してもよい。
この実施例においては、前記プラグ主体１ａの開口縁近傍の外周面には、一対の係合孔２，２が所定の間隔を存して設けられるとともに、前記係合孔２，２間のほぼ中心に位置する底面側には、挿通孔３ａが形成されている。
さらに、前記係合孔２，２と相対するプラグ主体１ａの外周部に挿通孔３ｃ，３ｃが形成されている。
なお、前記挿通孔３ｃ，３ｃは少なくとも１つ形成されていればよい。
【００３５】
この場合、図４に示した横型の公共マス６への取付けに際しては、挿通孔３ａに短いボルトの軸部を挿通し、その端部をプラグ主体１ａから突出させるとともに、プラグ主体１ａ内にも軸部をある程度の長さで突出させた状態でナットによって固定することで係止部材８とし、当該プラグ主体１ａを前記操作部材７のフック７ｃ，７ｃを利用し、公共マス６に装着させる。
なお、図３に示した縦型の公共マスへの取付けに際しては、係合孔２，挿通孔３ｃに係止部材８として、プラグ主体１ａの外径よりも長いボルトを挿通させる。
【実施例】
【００３６】
以下、この発明にかかる閉塞プラグの実施の一例を、具体的に説明する。
なお、この発明は図示したものに限定されず、発明の要旨を変更しない範囲内において種々改良を加えることができるものである。
【００３７】
この発明の閉塞プラグ１を、横型の公共マスに取付ける方法について説明する。
この発明にかかる閉塞プラグ１を適用する公共マス６は、図４で明らかなように、側面部に複数の流入口６ｂ，６ｂを有し、かつ底面に沿って流出口６ｃが横方向に開口されている。
【００３８】
かかる横型の公共マス６に前記閉塞プラグ１を取付けるには、先ず閉塞プラグ１を構成するプラグ主体１ａの、外周面上の開口側に設けられている一方の挿通孔３ａに、短いボルトからなる係止部材８を挿通し、ナットで締め付けて固定する。
その際、前記プラグ主体１ａの外周部にはゴムリング５が装着され、当該ゴムリング５が流出口６ｃの基端内周面と当接し、前記プラグ主体１ａが安定的に保持される。
【００３９】
ついで、係合孔２，２に、操作部材７のフック７ｃ，７ｃを係合させたのち、前記閉塞プラグ１を、図４に示すように、その底部が流出口６ｃ側に向くようにして、公共マス６の受口６ａから徐々に下降させ、流出口６ｃに挿入させて装着する。
【００４０】
前記閉塞プラグ１の流出口６ｃへの装着が終わると、前記操作部材７を外したのち、閉塞プラグ１に装着した前記係止部材８の頭部を、公共マス６の側面と前記流出口６ｃの連設部であるコーナーと当接させて、公共マス６内に前記閉塞プラグ１を固定する。
【００４１】
なお、他方の挿通孔にはボルトからなる係止部材８は存在しないが、前記閉塞プラグ１の下方の外周面が公共マス６の内底面と当接し、かつ閉塞プラグ１の下部外周に装着したゴムリング５が公共マス６の内周面と密着するので、閉塞プラグ１は確実に公共マス６内に固定保持される。
【００４２】
したがって、地表面に開口する受口６ａから公共マス６内に土砂などが流入しても、流入した土砂等は、流出口６ｃに設けられた閉塞プラグ１によって阻止されるので、土砂などが下水道本管に流れ込むおそれがない。
【００４３】
なお、横型の公共マス６において、この閉塞プラグ１を流出口に６ｃに装着する場合、当該閉塞プラグ１に形成した操作部材７のフック７ｃ，７ｃと係合する係合孔２，２は、取り外しに備え、当該部位が公共マス６内に位置させることによって、公共マス６に対する閉塞プラグ１の着脱を容易に行うことができる。
【００４４】
つぎに、縦型の公共マス６への閉塞プラグ１の取付けを、図３に基づいて説明する。
まず、前記閉塞プラグ１を構成するプラグ主体１ａの、開口部近傍の外周面上に設けられている一対の挿通孔３ｂ，３ｃに、当該プラグ主体の直径より長いボルトからなる係止部材８を挿通したのち、内側からナットを係合させてプラグ主体１ａに固定する。
なお、この実施例において、前記ボルトからなる係止部材８は、内側からナットを係合させることにより固定されているが、外側からナットを係合させてもよい。
【００４５】
前記係止部材８は、前記プラグ主体１ａの下流側への移動（落下）を阻止する機能を有するものであって、前記プラグ主体１ａの外周を架け渡すように設けられるので、着脱に際しては、前記閉塞プラグ１用の操作部材７と係合する機能をも有するものである。
【００４６】
ついで、前記係止部材８の中央部に、前記操作部材７のフック７ｃ，７ｃを係合させたのち、前記閉塞プラグ１を、図３に示すように、その底部が流出口６ｃ側に向くようにして、公共マス６の受口６ａから挿入して徐々に下降させ、前記係止部材８の各端部を公共マス６の受口６ａ下方の段部６ｄと当接されれば、前記閉塞プラグ１を公共マス６内に確実に保持することができる。
【００４７】
したがって、縦型もしくは横型の公共マス６であっても、当該公共マス６の流出口６ｃはいずれの場合も、その開口基端部がこの発明の閉塞プラグ１によって完全に閉止されるので、公共の下水道本管に土砂などが流入するおそれが全くないものである。
【００４８】
一方、前記流出口６ｃに装着した閉塞プラグ１を取り外す場合には、横型の公共マス６の場合には、プラグ主体１ａの開口部近傍に設けた係合孔２，２に操作部材７のフック７ｃ，７ｃを係合させて公共マス６内側に引き抜き、受口６ａから取り出せばよい。
縦型の公共マス６の場合には、前記係止部材８に操作部材７のフック７ｃ，７ｃを係合させ、上方に引き抜くことによって公共マス６から取外すことができる。
【００４９】
前記実施例においては、有底円筒状の閉塞プラグを例として説明したが、閉塞プラグの形状として、図６に示されるような、有底の截頭円錐状を選択することによって、前記流出口に対する着脱をスムーズに行うことができる。
【産業上の利用可能性】
【００５０】
この発明は、排水管、特に排水マスないし公共マスに用いられる閉塞プラグに関するもので、この閉塞プラグは、横型の排水マスのみならず縦型の排水マスにも容易に配設することができ、下水本管へ雨水や土砂、排水等が流れ込むことを防ぐことができる。
したがって、排水管に適用できる閉塞プラグとして幅広く利用されるものである。
【符号の説明】
【００５１】
１          閉塞プラグ
１ａ        プラグ主体
２          係合孔
３，３ａ〜３ｃ  挿入孔
４          リング状の凹溝
５          ゴムリング
５ａ        突出部
６          公共マス
６ａ        受口
６ｂ        流入口
６ｃ        流出口
６ｄ        段部
７          操作部材
７ａ        軸杆
７ｂ        フック主体
７ｃ        フック
８          係止部材
９          流入管
１０          流出管
１１          突出部
１２          パイプ
【図１】
0006402979.tif 000002
【図２】
0006402979.tif 000003
【図３】
0006402979.tif 000004
【図４】
0006402979.tif 000005
【図５】
0006402979.tif 000006
【図６】
0006402979.tif 000007
【図７】
0006402979.tif 000008
【図８】
0006402979.tif 000009
【図９】
0006402979.tif 000010
【図１０】
0006402979.tif 000011
【図１１】
0006402979.tif 000012